(57)【要約】【課題】本体部とソケットとを接着する際に治具が不要であり、作業性を大幅に向上させることができるＬＥＤ照明灯を提供する。【解決手段】複数のＬＥＤ１２を配設したＬＥＤ基板１１と、前記ＬＥＤ基板１１を覆う筒状のカバー２０と、前記カバー２０の両端に冠着されるソケット３０と、を備えた直管形のＬＥＤ蛍光灯１０であって、前記ソケット３０の内周部には、前記カバー２０の抜け止め部３０ｂが形成されており、前記カバー２０の外周部には、前記抜け止め部３０ｂに対応する係止部２０ｂが形成されている。【選択図】図７
2013122828.tif 000002
【特許請求の範囲】
【請求項１】
複数のＬＥＤを配設したＬＥＤ基板と、
前記ＬＥＤ基板を覆う筒状のカバーと、
前記カバーの両端に冠着されるソケットと、
を備えた直管形のＬＥＤ蛍光灯であって、
前記ソケットの内周部には、前記カバーの抜け止め部が形成されており、
前記カバーの外周部には、前記抜け止め部に対応する係止部が形成されていることを特徴とする、ＬＥＤ照明灯。
【請求項２】
前記係止部は、前記カバーの外周部に帯状材を巻設して形成されていることを特徴とする、請求項１記載のＬＥＤ照明灯。
【発明の詳細な説明】
【技術分野】
【０００１】
この発明は、直管形のＬＥＤ照明灯に関し、特に、組み立て時の作業性を高めることができるＬＥＤ照明灯に関するものである。
【背景技術】
【０００２】
近年、既存の蛍光灯と構造的に互換性のあるＬＥＤ照明灯が提案されている（例えば特許文献１参照）。
【０００３】
こうしたＬＥＤ照明灯は、円筒状の本体部と、この本体部の両側に設けられたソケット部とを備えており、外形状は従来の蛍光灯と同様となっている。
【先行技術文献】
【特許文献】
【０００４】
【特許文献１】特開２０１１−２１０７２９号公報
【発明の概要】
【発明が解決しようとする課題】
【０００５】
上記したようなＬＥＤ照明灯を組み立てる際には、本体部の内部にＬＥＤ基板を収容した上で本体部の両端にソケットを嵌合させ、このソケットを本体部に接着して組み立てられる。このとき、本体部とソケットとは軽嵌合状態であるため、接着強度が得られるまでは本体部とソケットとが離れないようにソケットを本体部に押し付ける必要があった。このため、押し付けるための治具が必要であったり、仮置きのためのスペースが必要であったりという不都合があった。
【０００６】
そこで、本発明は、本体部とソケットとを接着する際に治具が不要であり、作業性を大幅に向上させることができるＬＥＤ照明灯を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載のＬＥＤ照明灯は、複数のＬＥＤを配設したＬＥＤ基板と、前記ＬＥＤ基板を覆う筒状のカバーと、前記カバーの両端に冠着されるソケットと、を備えた直管形のＬＥＤ蛍光灯であって、前記ソケットの内周部には、前記カバーの抜け止め部が形成されており、前記カバーの外周部には、前記抜け止め部に対応する係止部が形成されていることを特徴とする。
【００１０】
（請求項２）
請求項２に記載の発明は、上記した請求項１記載の発明の特徴点に加え、以下の点を特徴とする。
【００１１】
すなわち、前記係止部は、前記カバーの外周部に帯状材を巻設して形成されていることを特徴とする。
【発明の効果】
【００１２】
本発明は上記の通りであり、ソケットの内周部には、カバーの抜け止め部が形成されており、カバーの外周部には、前記抜け止め部に対応する係止部が形成されている。このため、抜け止め部に係止部が係止されることで、カバーとソケットとが離れないように保持されているので、ソケットをカバーに押し付けるための治具が不要であり、また、仮置きのためのスペースも必要ない。また、作業性が向上するとともに、作業の確実性も向上する。
【００１３】
なお、前記係止部は、前記カバーの外周部に帯状材を巻設して形成してもよい。例えば、テープなどを貼設してもよい。このようにすれば、カバーに特別な成型加工を施さなくても上記した効果を得ることができる。
【図面の簡単な説明】
【００１４】
【図１】ＬＥＤ照明灯の（ａ）正面図、（ｂ）中間部を省略した側面図である。
【図２】ＬＥＤ照明灯を上から見た一部拡大分解図である。
【図３】ＬＥＤ照明灯を下から見た一部拡大分解図である。
【図４】ＬＥＤ照明灯のＡ−Ａ断面図である。
【図５】テープを巻設する前のカバーの側面図である。
【図６】テープを巻設している途中のカバーの側面図である。
【図７】テープを巻設した後のカバーの側面図である。
【図８】ソケットの筒部材の斜視図である。
【図９】ソケットの筒部材の背面図である。
【図１０】ソケットの筒部材のＢ−Ｂ断面図である。
【発明を実施するための形態】
【００１５】
本実施形態に係るＬＥＤ照明灯１０は、従来の蛍光灯と構造的に互換性のある直管形の照明灯であり、従来の蛍光灯用の灯具本体に接続可能となっている。
【００１６】
このＬＥＤ照明灯１０は、複数のＬＥＤ１２を配設したＬＥＤ基板１１と、このＬＥＤ基板１１への電力供給を制御する制御基板４０と、ＬＥＤ基板１１及び制御基板４０を覆う筒状のカバー２０と、このカバー２０の両端に冠着されるソケット３０と、を備えている。このＬＥＤ照明灯１０は、従来の蛍光灯と同様に、両端のソケット３０が灯具本体の接続部に取り付けられ、この接続部を介して電力が供給されることで点灯する。
【００１７】
（ＬＥＤ基板１１）
ＬＥＤ基板１１は、複数のＬＥＤ１２を表面に実装した基盤である。このＬＥＤ基板１１には、ＬＥＤ１２に対して供給する電気を蓄えたコンデンサ１３も実装されている。
【００１８】
（制御基板４０）
制御基板４０は、ＬＥＤ基板１１上の複数のＬＥＤ１２のオン・オフを切り替えるためのトランジスタ等が実装された基板である。特に図示しないが、この制御基板４０は、外部から供給された電力を制御するための制御回路を備えており、この制御回路を介してＬＥＤ基板１１へと電力を供給する。
【００１９】
（カバー２０）
カバー２０は、ＬＥＤ基板１１を下方に向けて支持する支持部材としての放熱パイプ２１と、放熱パイプ２１の下側に固定される光拡散カバー２５と、を備えている。
【００２０】
このカバー２０は、光拡散カバー２５と放熱パイプ２１とが接合されることで全体として円筒形状を形成する。そして、放熱パイプ２１と光拡散カバー２５との長さが異なっていることにより、両端面に約３ｍｍの段差２０ａが形成されるようになっている（図５参照）。この段差２０ａは、ソケット３０に対するカバー２０の回転方向の位置決めを行うためのものであり、カバー２０にソケット３０を冠着したときに、後述するソケット３０の係合突起３０ａに係合するようになっている。
【００２１】
（放熱パイプ２１）
放熱パイプ２１は、アルミ製の押し出し型材であり、略半月状のパイプ部２１ａと、このパイプ部２１ａの下方に一体的に延設された下垂部２１ｂと、を備えている。この放熱パイプ２１は、ＬＥＤ基板１１及び制御基板４０が面接触するように取り付けられ、基板の熱を放熱するためのヒートシンクの役割を果たすようになっている。
【００２２】
略半月状のパイプ部２１ａは、内部が中空となっており、この中空の内部に制御基板４０をスライド挿入できるようになっている。
【００２３】
下垂部２１ｂは、パイプ部２１ａの平坦面から下方に突出しており、カバー２０の長手方向全長に渡って両側に平行に２つ形成されている。この２つの下垂部２１ｂの内側面には、対向する位置に狭持溝２１ｃが形成されており、この狭持溝２１ｃにＬＥＤ基板１１を差し込んでスライドさせることで、ＬＥＤ１２の実装面が下方を向くようにＬＥＤ基板１１を保持できるようになっている。また、２つの下垂部２１ｂの外側面には外溝２１ｄが形成されており、この外溝２１ｄによって光拡散カバー２５を取り付け可能となっている。
【００２４】
（光拡散カバー２５）
光拡散カバー２５は、略Ｃ字形に形成された樹脂製の押し出し型材である。光拡散カバー２５は、全体が透光性の光透過部２５ｂを構成しており、下方及び側方にＬＥＤ１２の発する光を放出させるように形成されている。
【００２５】
この光拡散カバー２５の両側の開放端部は、内側に鉤状に突出しており、係合爪部２５ａを形成している。この係合爪部２５ａが前述した放熱パイプ２１の外溝２１ｄに差し込まれることにより、光拡散カバー２５は放熱パイプ２１に取り付け可能となっている。光拡散カバー２５を放熱パイプ２１に取り付ける際には、光拡散カバー２５の弾性を利用して両側の係合爪部２５ａが離れる方向に押し広げ、外溝２１ｄに差し込む。これにより、両側の係合爪部２５ａが外溝２１ｄを外から挟み込んで、光拡散カバー２５と放熱パイプ２１とが互いに接合される。
【００２６】
（ソケット３０）
ソケット３０は、カバー２０の両端に冠着される有底円筒状の部材であり、樹脂製の筒部材３１と、この筒部材３１の端部に装着される電極キャップ３２と、を備えている。
【００２７】
筒部材３１は、カバー２０の端部外周に外装されるために筒状に形成されている。この筒部材３１の底部、すなわち、カバー２０の付き当て面には、図９及図１０に示すように、内周縁に２つの係合突起３０ａが設けられている。
【００２８】
また、この筒部材３１の内周部には、カバー２０の抜け止めのための抜け止め部３０ｂが形成されている。この抜け止め部３０ｂは、カバー２０を抜き方向に移動させたときに引っ掛かるように内周面に設けられた突起であり、上下の２箇所に設けられている。
【００２９】
また、電極キャップ３２は、２つのピン３２ａが突出形成された金属製の部材である。ＬＥＤ照明灯１０は、この電極キャップ３２のピン３２ａを灯具本体の接続部に挿入接続することで灯具本体に装着され、このピン３２ａによって自重を支えられるようになっている。
【００３０】
（カバー２０とソケット３０との固定について）
カバー２０とソケット３０とを固定する際には、円筒状のカバー２０の外周部に帯状材のテープ５０（ビニールテープや布テープなど）を巻設し、これにより、光拡散カバー２５と放熱パイプ２１とを一体的に固定するとともに、カバー２０の外周部に係止部２０ｂを形成する。このとき、図６及び図７に示すように、テープ５０はカバー２０両端の段差２０ａを避けて巻設する。
【００３１】
その後、カバー２０をソケット３０に差し込む。すると、帯状材で形成された係止部２０ｂがソケット３０の内周部の抜け止め部３０ｂに引っ掛かり、抜け落ちないで固定される。この状態で、予め又は後で接着剤などをカバー２０とソケット３０との接合面に塗布する。これにより、カバー２０とソケット３０とが固定された状態で接着の完了を待つことができる。
【００３２】
（まとめ）
本実施形態は上記の通りであり、ソケット３０の内周部には、カバー２０の抜け止め部３０ｂが形成されており、カバー２０の外周部には、前記抜け止め部３０ｂに対応する係止部２０ｂが形成されている。このため、抜け止め部３０ｂに係止部２０ｂが係止されることで、カバー２０とソケット３０とが離れないように保持されているので、ソケット３０をカバー２０に押し付けるための治具が不要であり、また、仮置きのためのスペースも必要ない。また、作業性が向上するとともに、作業の確実性も向上する。
【００３３】
また、カバー２０の外周部に帯状材（テープ５０）を巻設して係止部２０ｂを形成したので、カバー２０に特別な成型加工を施さなくても上記した効果を得ることができる。また、帯状材（テープ５０）によって光拡散カバー２５と放熱パイプ２１とを一体的に固定することもできる。
【００３４】
なお、本発明の実施形態としては、カバー２０の外周部に帯状材（テープ５０）を巻設して係止部２０ｂを形成する態様に限らない。例えば、カバー２０の外周部に凹部や凸部を設けて係止部２０ｂを形成し、この凹部や凸部を抜け止め部３０ｂに係合させるようにしてもよい。
【符号の説明】
【００３５】
１０  ＬＥＤ照明灯
１１  ＬＥＤ基板
１２  ＬＥＤ
１３  コンデンサ
２０  カバー
２０ａ  段差
２０ｂ  係止部
２１  放熱パイプ
２１ａ  パイプ部
２１ｂ  下垂部
２１ｃ  狭持溝
２１ｄ  外溝
２５  光拡散カバー
２５ａ  係合爪部
２５ｂ  光透過部
３０  ソケット
３０ａ  係合突起
３０ｂ  抜け止め部
３１  筒部材
３２  電極キャップ
３２ａ  ピン
４０  制御基板
５０  テープ
【図１】
2013122828.tif 000003
【図２】
2013122828.tif 000004
【図３】
2013122828.tif 000005
【図４】
2013122828.tif 000006
【図５】
2013122828.tif 000007
【図６】
2013122828.tif 000008
【図７】
2013122828.tif 000009
【図８】
2013122828.tif 000010
【図９】
2013122828.tif 000011
【図１０】
2013122828.tif 000012